(57)【要約】  本発明の一実施形態による円筒型二次電池モジュールは、電極組立体及び電解液が収容される電池ケースを備える複数の円筒型二次電池セルと、複数の円筒型二次電池セルが配置されるセルフレームと、円筒型二次電池セルに電気的に連結されてヒューズ部が形成されたバスバーとを含み、バスバーは相異なる材質からそれぞれ形成された複数の層を備える。
2020522857.tif 000002
【特許請求の範囲】
【請求項１】
電極組立体及び電解液が収容される電池ケースを備える複数の円筒型二次電池セルと、
複数の前記円筒型二次電池セルが配置されるセルフレームと、
前記円筒型二次電池セルに電気的に連結されてヒューズ部が形成されたバスバーとを含み、
前記バスバーは相異なる材質からそれぞれ形成された複数の層を備えることを特徴とする円筒型二次電池モジュール。
【請求項２】
前記バスバーは、プレート形状に形成されて複数の前記円筒型二次電池セルの上部と下部の少なくとも一方を覆い、複数の前記円筒型二次電池セルの個数に対応する個数の前記ヒューズ部が形成されていることを特徴とする請求項１に記載の円筒型二次電池モジュール。
【請求項３】
前記バスバーは、
中空が形成された少なくとも一つの合成樹脂フィルムと、
前記合成樹脂フィルムによって保護される伝導性プレートとを含むことを特徴とする請求項１又は請求項２に記載の円筒型二次電池モジュール。
【請求項４】
前記バスバーは、二枚の合成樹脂フィルムが一つの伝導性プレートの上面と下面にそれぞれ結合されることを特徴とする請求項３に記載の円筒型二次電池モジュール。
【請求項５】
前記伝導性プレートは、
前記円筒型二次電池セルに溶接で結合されるように設けられる溶接部と、
前記溶接部の周縁に沿って形成された開口と、
前記溶接部から前記開口によって離隔して前記溶接部と区分されるプレート大面積部と、
前記溶接部と前記プレート大面積部とを連結し、前記伝導性プレートに過電流が流れる場合に切れるように形成されたヒューズ部とを含むことを特徴とする請求項３又は請求項４に記載の円筒型二次電池モジュール。
【請求項６】
前記合成樹脂フィルムは、伝導性プレートの上側と下側に結合されて前記伝導性プレートを囲み、前記溶接部が前記中空を通じて外部に露出することを特徴とする請求項５に記載の円筒型二次電池モジュール。
【請求項７】
前記ヒューズ部の幅は、前記開口の幅よりも狭く形成されることを特徴とする請求項５又は請求項６に記載の円筒型二次電池モジュール。
【請求項８】
前記溶接部は、前記溶接部の中心部に形成された切開部によって第１抵抗溶接部と第２抵抗溶接部とに分離して形成されることを特徴とする請求項５から請求項７のいずれか一項に記載の円筒型二次電池モジュール。
【請求項９】
請求項１〜請求項８のうちいずれか一項に記載の円筒型二次電池モジュールを含む二次電池パック。
【請求項１０】
請求項１〜請求項８のうちいずれか一項に記載の円筒型二次電池モジュールを含む自動車。
【発明の詳細な説明】
【技術分野】
【０００１】
本発明は、円筒型二次電池モジュールに関し、より詳しくは、ヒューズ機能と物理的な衝撃に対する保護機能を有するバスバーを備えた円筒型二次電池モジュールに関する。
【０００２】
本出願は、２０１７年１２月７日出願の韓国特許出願第１０−２０１７−０１６７１４０号に基づく優先権を主張し、該当出願の明細書及び図面に開示された内容は、すべて本出願に組み込まれる。
【背景技術】
【０００３】
モバイル機器に対する技術開発及び需要の増加とともに、エネルギー源としての二次電池の需要が急増している。二次電池としては、従来、ニッケルカドミウム電池または水素イオン電池が使用されたが、近年、ニッケル系列の二次電池に比べてメモリ効果が殆ど起きず充電及び放電が自在であって、自己放電率が低くてエネルギー密度が高いリチウム二次電池が広く使用されている。
【０００４】
このようなリチウム二次電池は、主にリチウム系酸化物及び炭素材をそれぞれ正極活物質及び負極活物質として使用する。リチウム二次電池は、このような正極活物質及び負極活物質がそれぞれ塗布された正極板及び負極板がセパレータを介在して配置された二次電池セル、そして二次電池セルを電解液とともに密封収納する外装材、すなわち電池ケースを備える。
【０００５】
リチウム二次電池は、正極、負極、これらの間に介在されるセパレータ及び電解質からなり、正極活物質及び負極活物質の種類によってリチウムイオン電池（ＬＩＢ）、リチウムポリマー電池（ＰＬＩＢ）などに分けられる。このようなリチウム二次電池の電極は、通常、アルミニウムまたは銅のシート、メッシュ、フィルム、ホイルなどの集電体に正極または負極の活物質を塗布し乾燥することで形成される。
【０００６】
一般に、二次電池は、二次電池セルが収容される外装材の形状によって円筒型、角形またはパウチ型に分けられる。
【０００７】
図１の（ａ）は従来の円筒型二次電池モジュールにおいて、円筒型二次電池セルにバスバーが結合された様子の概略的な断面図であり、図１の（ｂ）は従来の円筒型二次電池モジュールにおいて、円筒型二次電池セルにワイヤが結合された様子の概略的は断面図である。
【０００８】
図１の（ａ）を参照すれば、バスバー１が二次電池セル２に直接結合されているが、バスバー１の厚さが通常のヒューズより厚いため、ヒューズとしての役割が果たせず、過電流または高温が発生したときに電流の連結を遮断することができない問題がある。また、図１の（ｂ）を参照すれば、バスバー３がワイヤ４を通じて二次電池セル５に連結されているが、ワイヤ４を保護する手段が備えられておらず、ワイヤ４が物理的な衝撃に弱いという問題点がある。
【発明の概要】
【発明が解決しようとする課題】
【０００９】
したがって、本発明は、バスバーがヒューズ機能と二次電池セル同士の電気的連結機能を全て含むだけでなく、物理的な衝撃から保護できる円筒型二次電池モジュールを提供することを目的とする。
【００１０】
また、本発明は、バスバーのヒューズ機能によって過電流または高温から二次電池セルを保護することができる円筒型二次電池モジュールを提供することを目的とする。
【課題を解決するための手段】
【００１１】
本発明の一態様によれば、電極組立体及び電解液が収容される電池ケースを備える複数の円筒型二次電池セルと、複数の前記円筒型二次電池セルが配置されるセルフレームと、前記円筒型二次電池セルに電気的に連結されてヒューズ部が形成されたバスバーとを含み、前記バスバーは相異なる材質からそれぞれ形成された複数の層を備えることを特徴にする円筒型二次電池モジュールが提供される。
【００１２】
また、前記バスバーは、プレート形状に形成されて複数の前記円筒型二次電池セルの上部と下部の少なくとも一方を覆い、複数の前記円筒型二次電池セルの個数に対応する個数の前記ヒューズ部が前記バスバーに形成され得る。
【００１３】
そして、前記バスバーは、中空が形成された少なくとも一つの合成樹脂フィルムと、前記合成樹脂フィルムによって保護される伝導性プレートとを含み得る。
【００１４】
また、前記バスバーは、二枚の合成樹脂フィルムが一つの伝導性プレートの上面と下面にそれぞれ結合され得る。
【００１５】
そして、前記伝導性プレートは、前記円筒型二次電池セルに溶接で結合されるように設けられる溶接部と、前記溶接部の周縁に沿って形成された開口と、前記溶接部から前記開口によって離隔して前記溶接部と区分されるプレート大面積部と、前記溶接部と前記プレート大面積部とを連結し、前記伝導性プレートに過電流が流れる場合に切れるように形成されたヒューズ部とを含み得る。
【００１６】
また、前記合成樹脂フィルムは、伝導性プレートの上側と下側に結合されて前記伝導性プレートを囲み、前記溶接部が前記中空を通じて外部に露出し得る。
【００１７】
そして、前記ヒューズ部の幅は、前記開口の幅よりも狭く形成され得る。
【００１８】
また、前記溶接部は、前記溶接部の中心部に形成された切開部によって第１抵抗溶接部と第２抵抗溶接部とに分離形成され得る。
【００１９】
一方、本発明の他の態様によれば、上述した円筒型二次電池モジュールを含む二次電池パックが提供され、また、前記円筒型二次電池モジュールを含む自動車が提供される。
【発明の効果】
【００２０】
本発明の実施形態によれば、バスバーがヒューズ機能と二次電池セル同士の電気的連結機能を全て含むだけでなく、物理的な衝撃からも保護できる。
【００２１】
また、バスバーのヒューズ機能によって過電流または高温から二次電池セルを保護することができる。
【図面の簡単な説明】
【００２２】
【図１】（ａ）は従来の円筒型二次電池モジュールにおいて、円筒型二次電池セルにバスバーが結合された様子の概略的な断面図であり、（ｂ）は従来の円筒型二次電池モジュールにおいて、円筒型二次電池セルにワイヤが結合された様子の概略的な断面図である。
【図２】本発明の第１実施形態による円筒型二次電池モジュールの概略的な斜視図である。
【図３】図２のＡ部分の拡大図である。
【図４】本発明の第１実施形態による円筒型二次電池モジュールにおいて、複数の層からなるバスバーを示した分解斜視図である。
【図５】本発明の第１実施形態による円筒型二次電池モジュールにおいて、伝導性プレートを示した平面図である。
【図６】図５のＢ部分の拡大図である。
【図７】本発明の第１実施形態による円筒型二次電池モジュールにおいて、二次電池セルにバスバーが結合された様子の概略的な断面図である。
【図８】本発明の第２実施形態による円筒型二次電池モジュールにおいて、伝導性プレートを示した部分拡大図である。
【発明を実施するための形態】
【００２３】
以下、添付された図面を参照して本発明の望ましい実施形態を詳しく説明する。本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２４】
図面において、各構成要素またはその構成要素を成す特定部分の大きさは、説明の便宜上及び明確性のため、誇張、省略または概略して示された。したがって、各構成要素の大きさは実際の大きさを専ら反映するものではない。また、関連する公知機能又は構成についての具体的な説明が本発明の要旨を不明瞭にし得ると判断される場合、その説明は省略する。
【００２５】
さらに、本明細書で使われる「結合」または「連結」との用語は、一つの部材と他の部材との直接結合または直接連結だけでなく、継ぎ部材を介在した一つの部材と他の部材との間接結合または間接連結も含む。
【００２６】
図２は本発明の第１実施形態による円筒型二次電池モジュールの概略的な斜視図であり、図３は図２のＡ部分の拡大図であり、図４は本発明の第１実施形態による円筒型二次電池モジュールにおいて、複数の層からなるバスバーを示した分解斜視図であり、図５は本発明の第１実施形態による円筒型二次電池モジュールにおいて、伝導性プレートを示した平面図であり、図６は図５のＢ部分の拡大図であり、図７は本発明の第１実施形態による円筒型二次電池モジュールにおいて、二次電池セルにバスバーが結合された様子の概略的な断面図である。
【００２７】
図２〜図７を参照すれば、本発明の一実施形態による円筒型二次電池モジュール１０は、複数の円筒型二次電池セル１００、セルフレーム２００及びバスバー３００を含み、バスバー３００は相異なる材質からそれぞれ形成された複数の層を備える。
【００２８】
円筒型二次電池セル１００は、図７を参照すれば、電極組立体１１０、例えばゼリーロール形態の電極組立体１１０、電極組立体１１０とともに電解液が収容される円筒型の電池ケース１２０、電池ケース１２０の例えば上部に形成された正極端子１２１、電池ケース１２０の例えば下部に形状された負極端子１２２を含む。図７では、バスバー３００の伝導性プレート３２０が正極端子１２１に結合されているが、バスバー３００の伝導性プレート３２０は負極端子１２２に結合されても良い。電極組立体１１０は、正極１１１と負極１１３との間にセパレータ１１２が介在された状態で積層されてゼリーロール形態に巻き取られた構造であり得、正極１１１には正極リード（図示せず）が取り付けられて電池ケース１２０の例えば上部の正極端子１２１に接続され、負極１１３には負極リード（図示せず）が取り付けられて電池ケース１２０の例えば下部の負極端子１２２に接続される。そして、電極組立体１１０の中心部には円筒型のセンターピン（図示せず）が挿入される。このようなセンターピン（図示せず）は、電極組立体１１０を固定及び支持し、充放電及び作動時に内部の反応によって発生するガスを放出する通路として機能することができる。
【００２９】
一方、複数の円筒型二次電池セル１００は、多様な方式によって直列又は並列で連結されて使用される。例えば、円筒型二次電池セル１００の正極端子１２１と負極端子１２２のそれぞれにバスバー３００が連結されて直列又は並列で連結され得る。
【００３０】
セルフレーム２００は、図２を参照すれば、複数の円筒型二次電池セル１００が配置され、複数の円筒型二次電池セル１００の形状に対応するように多様な形状に形成され得る。そして、セルフレーム２００は多様な材質から形成され得る。セルフレーム２００は、所定の剛性を維持するため、メタル材質から形成され得るが、これに限定されることはない。
【００３１】
バスバー３００は、円筒型二次電池セル１００に電気的に連結され、ヒューズ部３２４（図６を参照）が形成される。バスバー３００は、例えばＦＰＣＢ（Ｆｌｅｘｉｂｌｅ Ｐｒｉｎｔｅｄ Ｃｉｒｃｕｉｔ Ｂｏａｒｄ）のようなフレキシブル基板から形成され得る。バスバー３００は、プレート形状に形成され、複数の円筒型二次電池セル１００の上部または下部を覆うように設けられ得る。ただし、図２及び図７では、バスバー３００が複数の円筒型二次電池セル１００の上部のみに結合されているが、これに限定されることはない。
【００３２】
バスバー３００は、図４を参照すれば、相異なる材質からそれぞれ形成された複数の層を備える。例えば、バスバー３００は、合成樹脂フィルム３１０及び伝導性プレート３２０を含むことができる。以下、合成樹脂フィルム３１０及び伝導性プレート３２０について説明する。
【００３３】
合成樹脂フィルム３１０には、図４及び図７を参照すれば、中空３１１が形成され、伝導性プレート３２０に結合されて伝導性プレート３２０を保護する。合成樹脂フィルム３１０は一つ以上であり得るが、本実施形態では図４のように、二枚の合成樹脂フィルム３１０が一つの伝導性プレート３２０の上面と下面にそれぞれ結合されて伝導性プレート３２０を保護する場合について説明する。ただし、合成樹脂フィルム３１０の個数は二枚に限定されず、より多様であり得る。合成樹脂フィルム３１０は、伝導性プレート３２０の上側と下側に結合され、伝導性プレート３２０を囲むように設けられる。ここで、合成樹脂フィルム３１０に形成された中空３１１を通じて伝導性プレート３２０の一部分が外部に露出し、合成樹脂フィルム３１０の中空３１１を通じて外部に露出した伝導性プレート３２０の一部分が後述する溶接部３２１を構成することができる。
【００３４】
伝導性プレート３２０は、円筒型二次電池セル１００に電気的に連結され、図４を参照すれば、二枚の合成樹脂フィルム３１０の間に介在されて合成樹脂フィルム３１０によって保護される。伝導性プレート３２０は銅から製作されるが、材質がこれに限定されることはない。図５及び図６を参照すれば、伝導性プレート３２０にはヒューズ部３２４が形成される。すなわち、伝導性プレート３２０は、円筒型二次電池セル１００の電気的連結だけでなく、ヒューズ機能も備えることができる。そして、伝導性プレート３２０は上側と下側に結合された二枚の合成樹脂フィルム３１０によって物理的な衝撃から保護される。
【００３５】
伝導性プレート３２０は、溶接部３２１、開口３２２、プレート大面積部３２３及びヒューズ部３２４を含む。溶接部３２１は、図３及び図７を参照すれば、伝導性プレート３２０が円筒型二次電池セル１００に溶接で結合されるように形成されるものであり、伝導性プレート３２０の溶接部３２１が合成樹脂フィルム３１０に形成された中空３１１を通じて外部に露出し、溶接部３２１の溶接を通じて伝導性プレート３２０が円筒型二次電池セル１００に電気的に結合される。溶接部３２１は、図６及び図７のように、二つの部分に分離される。すなわち、溶接部３２１は、溶接部３２１の中心部に形成された切開部３２８によって第１抵抗溶接部３２６と第２抵抗溶接部３２７とに分離形成され得る。これは、抵抗溶接時に電流が流れるように、溶接部３２１の二つの部分に相異なる極性を形成するためである。すなわち、例えば、第１抵抗溶接部３２６にプラス極が連結され、第２抵抗溶接部３２７にマイナス極が連結され得る。ここで、図６を参照すれば、切開部３２８は開口３２２に連結されないように形成される。ただし、抵抗溶接ではなく他の方法で溶接する場合は、溶接部３２１が必ずしも二つの部分に区分される必要はなく、これについては第２実施形態で説明する。開口３２２は、伝導性プレート３２０を打ち抜いて形成するものであって、後述するヒューズ部３２４を伝導性プレート３２０に形成するため、伝導性プレート３２０の溶接部３２１の周縁に沿って形成される。すなわち、ヒューズ部３２４の幅を狭くするため、ヒューズ部３２４の周縁に開口３２２を形成する。ここで、ヒューズ部３２４は厚さも薄く形成しても良い。プレート大面積部３２３は、伝導性プレート３２０のうち溶接部３２１から開口３２２によって離隔して溶接部３２１と区分される部分である。すなわち、プレート大面積部３２３と溶接部３２１との間は開口３２２によって分離されている。ただし、後述するヒューズ部３２４によって溶接部３２１とプレート大面積部３２３とが連結されている。伝導性プレート３２０が銅から製作される場合、溶接部３２１、プレート大面積部３２３及びヒューズ部３２４は全て銅から形成され得る。
【００３６】
ヒューズ部３２４は、バスバー３００の伝導性プレート３２０に形成される。ヒューズ部３２４は、上述したように、溶接部３２１とプレート大面積部３２３とを連結し、伝導性プレート３２０に過電流が流れる場合に切れるように形成される。ここで、伝導性プレート３２０に過電流が流れる場合にヒューズ部３２４が切れるように、ヒューズ部３２４の幅は十分狭く形成される。ただし、ヒューズ部３２４の幅は、バスバー３００の材質、大きさ、電流の強さまたは電圧の強さなどによって変わり得る。例えば、ヒューズ部３２４の幅は、開口３２２の幅よりも狭く形成され得る。一方、上述したように、バスバー３００が例えば複数の円筒型二次電池セル１００の上部を覆う場合、バスバー３００には複数の円筒型二次電池セル１００の個数に対応する個数のヒューズ部３２４が形成され得る。
【００３７】
以下、図面を参照して本発明の第１実施形態による円筒型二次電池モジュール１０の作用及び効果について説明する。
【００３８】
図４を参照すれば、バスバー３００は相異なる材質からそれぞれ形成された複数の層を備える。例えば、中空３１１が形成された二枚の合成樹脂フィルム３１０の間に伝導性プレート３２０が介在され得る。ここで、図７を参照すれば、伝導性プレート３２０が合成樹脂フィルム３１０の中空３１１を通じてのみ外部に露出すれば、合成樹脂フィルム３１０のうち中空３１１が形成されていない部分は、伝導性プレート３２０に結合されて伝導性プレート３２０を保護することができる。そして、伝導性プレート３２０で合成樹脂フィルム３１０の中空３１１を通じて露出した部分のうち、下側の中空３１１を通じて露出した部分が円筒型二次電池セル１００に接触し、上側の中空３１１を通じて露出した部分で溶接される。すなわち、図６を参照すれば、伝導性プレート３２０のうち、合成樹脂フィルム３１０の中空３１１を通じて露出した上側部分は溶接部３２１を形成する。そして、伝導性プレート３２０は、溶接部３２１及びプレート大面積部３２３を含み、溶接部３２１とプレート大面積部３２３とは幅が狭いヒューズ部３２４によって連結される。ここで、溶接部３２１とプレート大面積部３２３とが幅の狭いヒューズ部３２４によって連結されるように、溶接部３２１の周縁に沿って開口が形成される。そして、溶接部３２１は、溶接部３２１の中心部に形成された切開部３２８によって第１抵抗溶接部３２６と第２抵抗溶接部３２７とに分離形成される。図３を参照すれば、伝導性プレート３２０を形成する溶接部３２１、開口３２２、プレート大面積部３２３、ヒューズ部３２４、切開部３２８のうち、開口３２２、プレート大面積部３２３及びヒューズ部３２４は合成樹脂フィルム３１０に結合されて外部に露出せずに保護され、溶接部３２１及び切開部３２８は合成樹脂フィルム３１０に形成された中空３１１を通じて外部に露出する。そして、作業者は合成樹脂フィルム３１０に形成された中空３１１を通じて外部に露出した溶接部３２１に抵抗溶接のような溶接を実施し、バスバー３００を円筒型二次電池セル１００に電気的に結合することができる。これによれば、バスバー３００が円筒型二次電池セル１００を電気的に連結するだけでなく、バスバー３００の伝導性プレート３２０に形成されたヒューズ部３２４によって、過電流が流れる場合または高温が発生した場合にヒューズ部３２４が切れることで、円筒型二次電池セル１００を保護することができる。また、ヒューズ部３２４が合成樹脂フィルム３１０の内部に配置されているため、外部の物理的な衝撃から保護できる。すなわち、ヒューズ部３２４は過電流または高温によっては切れるが、外部の物理的な衝撃によっては切れないように形成される。
【００３９】
図８は、本発明の第２実施形態による円筒型二次電池モジュールにおいて、伝導性プレート３２０の部分拡大図である。
【００４０】
以下、図面を参照して本発明の第２実施形態による円筒型二次電池モジュール１０の作用及び効果について説明するが、本発明の第１実施形態による円筒型二次電池モジュール１０で説明した内容と共通する部分は上述した説明で代替することにする。
【００４１】
本発明の第２実施形態の場合、伝導性プレート３２０の溶接部３２１が分離されていない点で第１実施形態と相違する。
【００４２】
図８を参照すれば、第１実施形態と異なって、溶接部３２１に切開部３２８が形成されておらず、開口３２２の内側に一つの溶接部３２１が形成される。第２実施形態において、溶接部３２１は、抵抗溶接ではなく、多様な種類の溶接、例えばレーザー溶接などによって円筒型二次電池モジュール１０に電気的に連結される。ただし、第２実施形態における溶接がレーザー溶接に限定されることはなく、多様な技術分野で知られた各種の溶接が適用され得る。
【００４３】
一方、本発明の一実施形態による二次電池パック（図示せず）は、上述したような本発明の一実施形態による円筒型二次電池モジュール１０を一つ以上含むことができる。また、前記二次電池パック（図示せず）には、このような円筒型二次電池モジュール１０の外に、二次電池モジュールを収納するためのケース、二次電池モジュールの充放電を制御するための各種の装置、例えばＢＭＳ、電流センサなどがさらに含まれ得る。
【００４４】
一方、本発明の一実施形態による自動車（図示せず）は、上述した円筒型二次電池モジュール１０または二次電池パック（図示せず）を含むことができ、前記二次電池パック（図示せず）は前記円筒型二次電池モジュール１０を含むことができる。そして、本発明の一実施形態による円筒型二次電池モジュール１０は、前記自動車（図示せず）、例えば、電気自動車やハイブリッド自動車のような電気を使用する所定の自動車（図示せず）に適用できる。
【００４５】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【００４６】
本発明は、円筒型二次電池モジュールに関し、特に、二次電池関連産業に適用可能である。
【符号の説明】
【００４７】
１  バスバー
２  二次電池セル
３  バスバー
４  ワイヤ
５  二次電池セル
１０  円筒型二次電池モジュール
１００  円筒型二次電池セル
１１０  電極組立体
１１１  正極
１１２  セパレータ
１１３  負極
１２０  電池ケース
１２１  正極端子
１２２  負極端子
２００  セルフレーム
３００  バスバー
３１０  合成樹脂フィルム
３１１  中空
３２０  伝導性プレート
３２１  溶接部
３２２  開口
３２３  プレート大面積部
３２４  ヒューズ部
３２６  第１抵抗溶接部
３２７  第２抵抗溶接部
３２８  切開部
【図１（ａ）】
2020522857.tif 000003
【図１（ｂ）】
2020522857.tif 000004
【図２】
2020522857.tif 000005
【図３】
2020522857.tif 000006
【図４】
2020522857.tif 000007
【図５】
2020522857.tif 000008
【図６】
2020522857.tif 000009
【図７】
2020522857.tif 000010
【図８】
2020522857.tif 000011
【国際調査報告】
2020522857.tif 000012
2020522857.tif 000013
2020522857.tif 000014
2020522857.tif 000015